(57)【要約】【課題】  従来のクリップスタンドは二つの物体の隙間にカード類を挟み込むという固定的観念があり、そのため余分な部材調達や加工費でコストアップを招き、またカード類着脱の操作性に配慮を欠き、機能本位ゆえにデザイン性にも欠けていた。【解決手段】  本発明は点や線でなく面でカード類を挟持することに着目し、中央部に意匠化させた図柄状挟み片と該図柄状挟み片の外周部に略円弧あるいは略コ字形状の枠状挟み片を設けたバネ特性を持った金属板あるいはプラスチック板をブロック状の支持部材に直立固定化させる。該二つの挟み片がカード類挿入時にほぼＶ字形に開くよう、面積の広い該図柄状挟み片にエッチング手法で図柄を透かし彫り状に切り欠いて弾性応力を均一化させる。これにより操作性が増すとともにデザイン性が上がり、カードクリップスタンド単体でも装飾具としての機能を持たせることができる。【選択図】図１
2006039496.tif 000002
【特許請求の範囲】
【請求項１】
中央部に意匠化させた図柄状挟み片と該図柄状挟み片の外周部に略円弧あるいは略コ字形状の枠状挟み片を設け、図柄状挟み片並びに枠状挟み片の下部で一体化させてなるバネ特性を有する金属板あるいはプラスチック板の挟持部材を、適度の重さを持つブロック状の支持部材に直立固定化させたカードクリップの装飾用展示スタンド。
【請求項２】
該図柄状挟み片と該枠状挟み片の弾性応力を均一化させるため、中央部の該図柄状挟み片に切り欠いた透かし彫り状の図柄を形成した請求項１記載のカードクリップスタンド。
【請求項３】
該挟持部材が銅合金である請求項１乃至請求項２記載のカードクリップスタンド。
【請求項４】
該挟持部材がケミカルエッチング法で製作される請求項１乃至請求項３記載のカードクリップスタンド。
【発明の詳細な説明】
【技術分野】
【０００１】  本発明は名札、メニューカード、プライスカード、写真、メモ等のカード状表示物を挟持しかつ展示するカードクリップスタンドに関するものである。
【背景技術】
【０００２】  従来、この種のカードクリップスタンドの代表例として、図８に示したように支持台の上に立設された支柱の上端にクリップまたはクリップ作用を有する機構を設けたもの、あるいは図９に示したように支持台上に２枚の板にてカード類を入れる機構あるいは挟む機構を設けたもの、図１０に示したように立体的な支持台に直接スリットを設けて挟持機能と支持機能とを一体化させたものがある。【０００３】  第一の代表例は一般に使用するクリップをスタンド台上に取り付けた機能本位のものであり、両手を使ってカード類を固定するので、カード類の着脱に労力を要する操作性の悪い欠点を有している。【０００４】  第二の代表例は挟持部材に２枚の板を配置させ、その隙間にカード類を挟み込むかあるいは隙間に挿入させるものである。該２枚の板はほぼ平行に設けられたものであり、隙間を狭くすると厚いカード類を挿入するのが困難となり、逆に隙間を広くすると薄いカード類あるいは枚数の多いカード類を固定化することが困難である。更に該挟む機能には２枚の部品を使用するためコスト高となり、たとえ目的達成したとしても美的感覚に乏しいものであった。【０００５】  第三の代表例は支持台自体にバネ特性がなく、カード類を固定化するためにはスリットに曲率を入れたり、バネ等の押圧部材を設けたりしてコストのかかる製作手法になっており、またワンタッチでカード類の着脱が困難で操作性はよくない。【０００６】  以上のように従来品は二つの物体の隙間にカード類を挟み込むという考え方から脱しきれず、また機能本位を志向しながらカード類の着脱に労力を要したり、カード類を痛めたりあるいはカード類の厚さ、大きさ等に制約があり、また隙間を作るための部材調達や加工がコストアップを招きかつデザイン性に欠けた商品となっている。
【発明の開示】
【発明が解決しようとする課題】
【０００７】  本発明の解決しようとする第１の課題は二つの相対峙する物体の隙間にカード類を挟み込むという考え方でなく、バネ特性を有する金属板あるいはプラスチック板１枚だけで挟み込むという製作工程を単純化した安価なカードクリップスタンドを提供することである。【０００８】  本発明の解決しようとする第２の課題は、点と線ではなく、面を利用した挟持機能にすることにより小型のメモ等だけでなく、写真や席札等の大型カード類をも挟持することを可能にする。このことにより従来アルバムに納められていたスナップ写真を卓上に飾る簡易スタンド的役割を果たす多目的なカードクリップスタンドを提供することである。【０００９】  本発明の解決しようとする第３の課題は、カード類の厚さ、大きさ、枚数の多寡に左右されることなく、片手で容易に差し挟める操作性のよいカードクリップスタンドを提供することである。【００１０】  本発明の解決しようとする第４の課題は単にメモ等のカード類を挟持するだけでなく、卓上に飾る写真、席札等を美しく見せるディスプレイ機能も併せ持つカードクリップスタンドを提供することである。
【課題を解決するための手段】
【００１１】  以上の課題を解決するために、請求項１項のカードクリップスタンドは図１、図２並びに図５に示すように、切り欠き加工された１枚の金属板あるいはプラスチック板の挟持部材１とそれを支えるに充分な重さの支持部材２とから成り立っている。挟持部材は中央基部に意匠化させた図柄状挟み片１ａを設け、その外周部を図１に示すように略コ字形状の枠状挟み片１ｂあるいは図２に示すように略円弧形状の枠状挟み片１ｂで囲み、その間に切り欠き部１ｃを形成させる。挟持部材１の下端はほぼ垂直方向に支持部材２に起立保持されることにより本目的を達成することができる。【００１２】  枠状挟み片の形状はカード類がどの角度からも容易に差し込めるよう略円弧または略コ字状に形成される。弾性応力を持たせるためその幅を１ｍｍから１０ｍｍとするが、更に好ましくは５ｍｍ以下とし、表示用カード類の端で容易に押し倒せるよう操作性を重視した。形状が略円弧状または略コ字状のいずれかは中央部の図柄のデザインによる。【００１３】  請求項２の図柄状挟み片に装飾機能を持たせるべく面積を広くしたため、弾性応力が低くなりカード挿入時にＶ字状に開きにくい。そのため図柄を透かし彫り状に切り抜いて切り欠き部を多くして、図柄状挟み片と枠状挟み片の弾性応力を均一化させることにより、厚いカード、大きなカードあるいは枚数の多いカードでも安定して挟持することができる。【００１４】  また挟持部材中央部の透かし彫り状に切り抜いた図柄状挟み片は美的、芸術的なディスプレイ効果を持ち、装飾具としての機能を併せ持つことができる。【００１５】  更に具体的に説明すると、図１は本発明のカードクリップスタンドの一例である。１ａは図柄状挟み片、１ｂは略コ字形状の挟み片、中央部の図柄状挟み片の頂部と左右両端に１ｃの切り欠き部を設けた挟持部材１と、支持部材２は図３の示す通りスリット２ｂを持ったブロック２ａとから成り立っている。【００１６】  図３は正面図１の支持部材２の側面図であり、図４は正面図１の側面図である。【００１７】  本発明のカードクリップスタンドは切り欠き加工で切り欠いた１枚の金属板あるいはプラスチック板の挟持部材１とそれを支えるに充分な重さの支持部材２とから成り立っており、図３、図４並びに図５に示したように挟持部材１は支持部材２ａのスリット２ｂ内に差し込まれ固定化される。【００１８】  挟持部材は中央基部に意匠化させた図柄状挟み片１ａを設け、その外周部に図１に示すように略コ字形状の枠状挟み片あるいは図２に示すように略円弧状の枠状挟み片１ｂを設ける。カード類挿入に際しては、外周の枠状挟み片１ｂをカード類の端で後ろに押し倒し、図柄状挟み片１ａを手前にして略Ｖ字形に開き、カード類をその間に滑り込ませて挟持する。本状態を図６及び図７に示した。【００１９】  本発明に使用する挟持部材としては、鉄、銅、ステンレス、真鍮等の金属板あるいはポリイミド、ポリカーボネート、ポリフェニレンエーテル、ポリプロピレン等のプラスチック板が利用可能であるが、弾力性に富み、メッキ処理、エッチング処理が容易である４２アロイと呼ばれる銅合金が好ましい。また挟持部材の厚さは０．１〜０．７５ｍｍが好ましく、更に好ましくは０．１〜０．５ｍｍである。厚さ０．１ｍｍ以下では挟持力に欠け、０．７５ｍｍ以上では取り扱い難い。【００２０】  デザイン性をアップするために、本発明のカードクリップスタンドの挟持部材にメッキを施すのが好ましい。メッキの種類としては金、銀、銅、ニッケル、クロムメッキ等があるが金メッキが好ましい。【００２１】  本発明のカードクリップスタンドの挟持部に切り欠き部を入れる方法として、刃によるプレスまたはケミカルエッチングあるいはレザー光線等の加工手法が考えられるが、精密切削からくる詳細図柄やコスト面からケミカルエッチング方式が好ましい。
【発明の効果】
【００２２】  本発明は前述の通り、１枚の薄い金属板またはプラスチック板から製造するためコストが下がり、かつ小さな力で様々な形状のカード類を容易に挟み固定化することができる。加えて従来品と異なりデザイン面に優れ、室内装飾品としての価値も持たせることができる。
【発明を実施するための最良の形態】
【実施例１】
【００２３】  本発明の実施例を図２で説明する。カードクリップスタンドの挟持部材は４２アロイと呼ばれている厚さ０．２５ｍｍの銅合金を用いてケミカルエッチング法で製造した。図柄状挟み片１ａと枠状挟み片１ｂとの間に切り欠き部１ｃがある。カードクリップスタンドの使用に当たっては、外周の枠状挟み片１ｂをカード類の端で後ろに押し倒し、図柄状挟み片１ａを手前にして略Ｖ字形にカード類をその間に滑り込ませることにより目的を達成することができる。
【図面の簡単な説明】
【００２４】
【図１】本発明の略コ字状挟み片を有するカードクリップスタンドの正面図
【図２】本発明の略円弧状挟み片を有するカードクリップスタンドの正面図
【図３】図１のカードクリップスタンドの支持部材の側面図
【図４】図１のカードクリップスタンドの側面図
【図５】図１のカードクリップスタンドの挟持部材と支持部材の正面斜視図
【図６】図１のカードクリップスタンドにカードを挟んだ状態の正面斜視図
【図７】図１のカードクリップスタンドにカードを挟んだ状態の背面斜視図
【図８】クリップを上部に付けた従来品の斜視図
【図９】２枚の板を平行に立設した従来品の斜視図
【図１０】支持台にスリットを設けて挟持機能を兼ねた従来品の斜視図
【符号の説明】
【００２５】１…本発明のカードクリップスタンドの挟持部材  １ａ……図柄状挟み片  １ｂ……枠状挟み片  １ｃ……切り欠き部２…本発明のカードクリップスタンドの支持部材  ２ａ……ブロック  ２ｂ……スリット３……カード４……クリップ５……支柱６……支持台７……挟み板８……挟み挟み込み隙間９……スリット１０…支持台
【図１】
2006039496.tif 000003
【図２】
2006039496.tif 000004
【図３】
2006039496.tif 000005
【図４】
2006039496.tif 000006
【図５】
2006039496.tif 000007
【図６】
2006039496.tif 000008
【図７】
2006039496.tif 000009
【図８】
2006039496.tif 000010
【図９】
2006039496.tif 000011
【図１０】
2006039496.tif 000012